(57)【要約】【課題】無線通信部と有線で外部装置を接続可能な接続部とを自由な位置に配置可能としつつ有線通信による無線通信の通信品質の低下を抑制できる無線通信装置を提供する。【解決手段】本無線通信装置は、無線通信部と取得部と接続部と選択部とを備える。無線通信部は、無線通信を行う。取得部は、無線通信の通信品質に係る情報を取得する。接続部は、第１の通信方式と第１の通信方式よりも無線通信の通信品質への影響が小さい第２の通信方式のいずれの通信方式でも外部装置を有線で接続可能である。選択部は、取得された通信品質に係る情報に基づいて、第１の通信方式と第２の通信方式のいずれかを選択する。接続部には、選択部によって選択された通信方式で外部装置が接続される。【選択図】図１Ａ
2018029288.tif 000002
【特許請求の範囲】
【請求項１】
無線通信を行う無線通信部と、
前記無線通信の通信品質に係る情報を取得する取得部と、
第１の通信方式と前記第１の通信方式よりも前記無線通信の通信品質への影響が小さい第２の通信方式のいずれの通信方式でも外部装置を有線で接続可能な接続部と、
前記取得された通信品質に係る情報に基づいて、前記第１の通信方式と前記第２の通信方式のいずれかを選択する選択部と、を備え、
前記接続部には、前記選択部によって選択された通信方式で前記外部装置が接続される、
無線通信装置。
【請求項２】
前記無線通信装置が移動中であるか否かを判定する判定部をさらに備え、
前記選択部は、前記判定部によって前記無線通信装置が移動中であると判定された場合には前記第２の通信方式を選択する、
請求項１に記載の無線通信装置。
【請求項３】
前記判定部は、加速度センサーおよびGlobal Positioning System（ＧＰＳ）センサー
のうち、少なくとも一方によって前記無線通信装置が移動中であるか否かを判定する、
請求項２に記載の無線通信装置。
【請求項４】
前記通信品質に係る情報はReceived Signal Strength Indicator（ＲＳＳＩ）を含み、
前記選択部は、取得された前記ＲＳＳＩの値が所定の第１閾値以下の場合に前記第２の通信方式を選択する、
請求項１から３のいずれか一項に記載の無線通信装置。
【請求項５】
前記通信品質に係る情報はBlock Error Rate（ＢＬＥＲ）を含み、
前記選択部は、取得された前記ＢＬＥＲの値が所定の第２閾値より大きい場合に前記第２の通信方式を選択する、
請求項１から４のいずれか一項に記載の無線通信装置。
【請求項６】
前記選択部によって前記第２の通信方式が選択されると、前記第１の通信方式を無効にする切替部を更に備え、
前記切替部は前記無線通信装置と前記外部装置とが前記第１の通信方式で通信中の場合には前記第１の通信方式を無効にしない、
請求項１から５のいずれか一項に記載の無線通信装置。
【請求項７】
前記切替部による切り替えは、前記接続部への電力の供給を停止した後に前記電力の供給を再開する処理をさらに含む、
請求項６に記載の無線通信装置。
【請求項８】
第１の通信方式と前記第１の通信方式よりも前記無線通信の通信品質への影響が小さい第２の通信方式のいずれの通信方式でも外部装置を有線で接続可能な接続部を有する無線通信装置に、
前記無線通信装置の無線通信品質に係る情報を取得させ、
前記取得された無線通信品質に係る情報に基づいて、前記第１の通信方式と前記第２の通信方式のいずれかを選択させる、
通信制御プログラム。
【発明の詳細な説明】
【技術分野】
【０００１】
本発明は、無線通信装置および通信制御プログラムに関する。
【背景技術】
【０００２】
無線通信装置には、Universal Serial Bus（ＵＳＢ）３．０によって外部装置を接続可能な装置がある。ＵＳＢ３．０はＵＳＢ２．０の上位互換の規格である。そのため、ＵＳＢ３．０に対応する無線通信装置はＵＳＢ２．０にも対応可能である（特許文献１参照）。
【先行技術文献】
【特許文献】
【０００３】
【特許文献１】特開２０１５−１５６２０８号公報
【発明の概要】
【発明が解決しようとする課題】
【０００４】
ＵＳＢ３．０による通信はＵＳＢ２．０による通信よりも通信速度が高速である。その一方で、ＵＳＢ３．０による通信は、無線通信の通信品質を低下させる虞のあるノイズがＵＳＢ２．０による通信よりも強く発生する。ここで、ＵＳＢ３．０およびＵＳＢ２．０に対応した外部装置が無線通信装置に接続されると、より高速な通信が可能であるＵＳＢ３．０が外部装置との通信方式として選択される。そのため、無線通信の通信品質が所定の基準より悪い条件下でＵＳＢ３．０およびＵＳＢ２．０に対応した外部装置が無線通信装置に接続されると、ＵＳＢ３．０による通信時に発生するノイズによって無線通信の通信品質がさらに悪化する虞がある。
【０００５】
無線通信の通信品質の悪化を抑制するため、無線通信装置ではＵＳＢ３．０で外部装置が接続される接続部と無線通信を行う無線通信部とが距離を離して配置される。その結果、無線通信部と接続部とを自由な位置に配置できず、無線通信装置の設計の自由度が低下していた。
【０００６】
そこで、開示の技術の１つの側面は、無線通信部と有線で外部装置を接続可能な接続部とを自由な位置に配置可能としつつ有線通信による無線通信の通信品質の低下を抑制できる無線通信装置を提供することを課題とする。
【課題を解決するための手段】
【０００７】
開示の技術の１つの側面は、次のような無線通信装置によって例示される。本無線通信装置は、無線通信部と取得部と接続部と選択部とを備える。無線通信部は、無線通信を行う。取得部は、無線通信の通信品質に係る情報を取得する。接続部は、第１の通信方式と第１の通信方式よりも無線通信の通信品質への影響が小さい第２の通信方式のいずれの通信方式でも外部装置を有線で接続可能である。選択部は、取得された通信品質に係る情報に基づいて、第１の通信方式と第２の通信方式のいずれかを選択する。接続部には、選択部によって選択された通信方式で外部装置が接続される。
【発明の効果】
【０００８】
本無線通信装置は、無線通信部と有線で外部装置を接続可能な接続部とを自由な位置に配置可能としつつ有線通信による無線通信の通信品質の低下を抑制できる。
【図面の簡単な説明】
【０００９】
【図１Ａ】図１Ａは、実施形態に係るタブレット端末のブロック図の一例である。
【図１Ｂ】図１Ｂは、ＵＳＢポートの正面図の一例である。
【図１Ｃ】図１Ｃは、Type-Cと称される形状のＵＳＢポートの外観の一例を示す図である。
【図２】図２は、実施形態に係るタブレット端末におけるＵＳＢ３．０とＵＳＢ２．０との間の切替処理フローの一例を示す図である。
【図３】図３は、比較例に係るタブレット端末のブロック図の一例である。
【図４】図４は、比較例に係るタブレット端末の部品配置の一例を示す図である。
【図５】図５は、実施形態に係るタブレット端末の部品配置の一例を示す図である。
【図６】図６は、第１変形例に係るタブレット端末のブロック図の一例である。
【図７】図７は、第１変形例に係るタブレット端末におけるＵＳＢ３．０とＵＳＢ２．０との間の切替処理フローの一例を示す図である。
【図８】図８は、第２変形例に係るタブレット端末のブロック図の一例である。
【図９】図９は、クレイドルコネクタの外観の一例を示す図である。
【図１０】図１０は、第２変形例に係るタブレット端末の部品配置の一例を示す図である。
【発明を実施するための形態】
【００１０】
以下、図面を参照して、一実施形態に係るタブレット端末について説明する。以下に示す実施形態の構成は例示であり、開示の技術は実施形態の構成に限定されない。
【００１１】
＜実施形態＞
実施形態では、無線通信装置の一例としてタブレット端末が例示される。実施形態に係るタブレット端末は、ＵＳＢによって外部装置と通信可能である。実施形態に係るタブレット端末は、ＵＳＢ３．０に対応する。ＵＳＢ３．０はＵＳＢ２．０の上位互換であるため、実施形態に係るタブレット端末はＵＳＢ２．０にも対応する。ＵＳＢ３．０による通信はＵＳＢ２．０による通信よりも通信速度が高速である。しかしながら、ＵＳＢ３．０による通信は、ＵＳＢ２．０による通信よりも強いノイズが発生する。このようなノイズの発生は、Radio frequency（ＲＦ）リークとも称される。ＵＳＢ３．０による通信時に
発生するノイズは、無線通信の通信品質に影響を及ぼす虞がある。その結果、タブレット端末の無線通信が途切れたり、通信速度が低下したりする虞がある。そこで、実施形態に係るタブレット端末では、無線通信の通信品質が所定の基準より低い場合には、外部装置との通信方式としてＵＳＢ２．０を選択する。実施形態では、このような処理を行う事で、ＵＳＢ３．０の通信時に発生するノイズによる無線通信の通信品質への影響を抑制する。以下、図面を参照して実施形態について説明する。
【００１２】
図１Ａは、実施形態に係るタブレット端末１のブロック図の一例である。タブレット端末１は、System On Chip（SoC）１８、メモリ１９、Wireless Wide Area Network（ＷＷ
ＡＮ）モジュール１２、Wireless Local Area Network（ＷＬＡＮ）モジュール１３、Ｗ
ＬＡＮアンテナ１４、ＷＷＡＮアンテナ１５、Universal Serial Bus（ＵＳＢ）ポート１６、加速度センサー２０、Liquid Crystal Display（ＬＣＤ）モジュール２１および電力供給用バス（ＶＢＵＳ）２２を含む。
【００１３】
ＷＷＡＮモジュール１２は、ＷＷＡＮアンテナ１５を介して無線通信を行う。ＷＷＡＮモジュール１２は、ＷＷＡＮアンテナ１５を介した無線通信の通信品質を示す情報をＳｏＣ１８に通知する。ＷＬＡＮモジュール１３は、ＷＬＡＮアンテナ１４を介して無線通信を行う。ＷＬＡＮモジュール１３は、ＷＬＡＮアンテナ１４を介した無線通信の通信品質を示す情報をＳｏＣ１８に通知する。通信品質を示す情報は、例えば、電波の受信強度を示すReceived Signal Strength Indicator（ＲＳＳＩ）および無線通信のエラー発生率を示すBLock Error Rate（ＢＬＥＲ）である。ＷＷＡＮモジュール１２およびＷＬＡＮモジ
ュール１３は「無線通信部」の一例である。ＷＷＡＮモジュール１２およびＷＬＡＮモジュール１３は「測定部」の一例でもある。
【００１４】
ＵＳＢポート１６は、ＵＳＢ規格に準拠した外部装置が接続される接続ポートである。ＵＳＢポート１６は、ＵＳＢ３．０およびＵＳＢ２．０による通信が可能である。ＵＳＢポート１６は、ＵＳＢ３．０信号線Ｂ１およびＵＳＢ２．０信号線Ｂ２によってＳｏＣ１８と接続される。ＵＳＢ３．０信号線Ｂ１は、ＵＳＢポート１６に接続された外部装置とＳｏＣ１８との間をＵＳＢ３．０規格に準拠した通信規格で通信可能に接続する。ＵＳＢ２．０信号線Ｂ２は、ＵＳＢポート１６に接続された外部装置とＳｏＣ１８との間をＵＳＢ２．０規格に準拠した通信規格で通信可能に接続する。ＵＳＢポート１６は「接続部」の一例である。ＵＳＢ３．０は「第１の通信方式」の一例である。ＵＳＢ２．０は「第２の通信方式」の一例である。
【００１５】
スイッチＳ１は、ＵＳＢ３．０信号線Ｂ１におけるＳｏＣ１８とＵＳＢポート１６との経路上に介在するスイッチである。スイッチＳ１は、制御線Ｃ１によってＳｏＣ１８と接続される。ＳｏＣ１８は、制御線Ｃ１を介してスイッチＳ１のオンおよびオフを行う。スイッチＳ１がオンにされると、ＳｏＣ１８とＵＳＢ３．０信号線Ｂ１とが接続される。したがって、スイッチＳ１がオンのときにＵＳＢ３．０に対応した外部装置がＵＳＢポート１６に接続されると、当該外部装置とタブレット端末１とは、ＵＳＢ３．０信号線Ｂ１を介してＵＳＢ３．０による通信が可能となる。スイッチＳ１がオフにされるとＳｏＣ１８とＵＳＢ３．０信号線Ｂ１とは切断される。したがって、スイッチＳ１がオフのときに外部装置が接続されると、当該外部装置とタブレット端末１とはＵＳＢ２．０信号線Ｂ２を介してＵＳＢ２．０による通信が可能となる。スイッチＳ１は、「切替部」の一例である。
【００１６】
加速度センサー２０は、タブレット端末１の加速度を検出する。ＳｏＣ１８は、加速度センサーによって検出された加速度の情報に基づいて、タブレット端末１が移動中であるか否かを判定する。加速度センサー２０がタブレット端末１の加速度を検出する方法に限定は無い。加速度センサー２０は、公知のいかなる方式を採用してもよい。
【００１７】
ＬＣＤモジュール２１は、ＳｏＣ１８による処理結果等をタブレット端末１のディスプレイに出力する。ＶＢＵＳ２２は、ＵＳＢポート１６に電力を供給する。ＵＳＢポート１６は、ＶＢＵＳ２２から供給された電力を基にＵＳＢポート１６に接続された外部装置に給電する。また、ＵＳＢポート１６に外部装置を接続した状態において、ＶＢＵＳ２２によるＵＳＢポート１６への給電が一度停止された後に再開されることで、外部装置をＵＳＢポート１６に接続しなおしたようにＳｏＣ１８に認識させることができる。
【００１８】
ＳｏＣ１８は、マイクロプロセッサ、各種のコントローラ回路およびメモリを含む集積回路である。ＳｏＣ１８は、図１Ａに例示される各ブロックの制御を行う。ＳｏＣ１８は、例えば、タブレット端末１のＷＷＡＮまたはＷＬＡＮによる無線通信の通信品質を測定する。ＳｏＣ１８は、測定した無線通信品質に基づいて、外部装置との通信に用いる通信方式をＵＳＢ３．０とＵＳＢ２．０のいずれかから選択する。ＳｏＣ１８は、「取得部」および「選択部」の一例である。
【００１９】
メモリ１９は、ＳｏＣ１８からアクセス可能な記憶部である。メモリ１９は、ＳｏＣ１８の作業領域として使用されたり、各種データを記憶したりする。メモリ１９には、無線通信の通信品質の良否判定に用いられる閾値が記憶される。閾値は、例えば、ＲＳＳＩについて良否の判定に用いられるＲＳＳＩ閾値およびＢＬＥＲについての良否の判定に用いられるＢＬＥＲ閾値を含む。ＲＳＳＩ閾値の値は、例えば、−８０ｄＢｍである。ＢＬＥＲ閾値の値は、例えば、５％である。ＲＳＳＩ閾値およびＢＬＥＲ閾値の値は、設計時に
決定されればよい。メモリ１９は、Random Access Memory（ＲＡＭ）およびRead Only Memory（ＲＯＭ）を含む。ＲＳＳＩ閾値は「第１閾値」の一例である。ＢＬＥＲ閾値は「第２閾値」の一例である。
【００２０】
図１Ｂは、ＵＳＢポート１６の一例を示す図である。図１Ｂは、ＵＳＢポート１６を正面視した図の一例である。図１Ｂでは、Standard-Aと称される形状のＵＳＢポートをＵＳＢポート１６の一例として図示している。以下、図１Ｂを参照して、ＵＳＢポート１６についてさらに説明する。ＵＳＢポート１６は、ピンＰ１からピンＰ９の９本のピンを有する。ピンＰ１は、ＶＢＵＳ２２に接続され、ＵＳＢポート１６に接続された外部装置に給電する。ピンＰ２とピンＰ３は、差動信号を伝送するピンのペアである。ピンＰ２およびピンＰ３は、ＵＳＢ２．０の通信で利用される。ピンＰ２およびピンＰ３は、図１ＡのＵＳＢ２．０信号線Ｂ２と接続される。ピンＰ４は、グランド（ＧＮＤ）端子である。ピンＰ５とピンＰ６およびピンＰ８とピンＰ９は、それぞれ差動信号を伝送するピンのペアである。ピンＰ５とピンＰ６およびピンＰ８とピンＰ９は、ＵＳＢ３．０の通信で利用される。ピンＰ５とピンＰ６およびピンＰ８とピンＰ９は、図１ＡのＵＳＢ３．０信号線Ｂ１と接続される。ピンＰ７は、ＧＮＤ端子である。
【００２１】
すなわち、ＵＳＢ２．０およびＵＳＢ３．０の通信は、ピンのペアによる差動信号の伝送によって行われる。図１Ａでは、ＵＳＢ３．０信号線Ｂ１およびＵＳＢ２．０信号線Ｂ２を１本の線で図示しているが、ＵＳＢ３．０信号線Ｂ１およびＵＳＢ２．０信号線Ｂ２は、各々差動信号を伝送できる信号線である。
【００２２】
外部装置がＵＳＢポート１６に接続されたときに、ピンＰ５、ピンＰ６、ピンＰ８、ピンＰ９を介してＳｏＣ１８と当該外部装置とが電気的に接続されると、ＳｏＣ１８は当該外部装置とＵＳＢ３．０による通信を行う。また、外部装置がＵＳＢポート１６に接続されたときに、ピンＰ５、ピンＰ６、ピンＰ８、ピンＰ９を介してはＳｏＣ１８と当該外部装置とが電気的に接続されない場合、ＳｏＣ１８は当該外部装置とＵＳＢ２．０による通信を行う。
【００２３】
ＵＳＢポート１６の形状は、図１Ｂによって例示されたStandard-Aと称される形状に限定されない。図１Ｃは、Type-Cと称される形状のＵＳＢポートの外観の一例を示す図である。ＵＳＢポート１６は、例えば、図１Ｃに例示されるようなType-Cと称される形状であってもよい。また、ＵＳＢ３．０の規格には複数のポート形状が規定されているが、ＵＳＢポート１６は規格で定められたいずれの形状のポートを採用してもよい。
【００２４】
図２は、実施形態に係るタブレット端末１におけるＵＳＢ３．０とＵＳＢ２．０との間の切替処理フローの一例を示す図である。図２の処理はＳｏＣ１８によって周期的に行われる。ＳｏＣ１８が図２の処理を行う周期は、タブレット端末１の設計時に適宜定められれば良い。以下、図２を参照して、実施形態に係るタブレット端末１におけるＵＳＢ３．０とＵＳＢ２．０との間の切替処理フローの一例について説明する。
【００２５】
Ｄ１では、ＳｏＣ１８は、ＷＷＡＮまたはＷＬＡＮによる無線通信が行われているか否かを判定する。ＳｏＣ１８は、ＷＷＡＮモジュール１２に対し、ＷＷＡＮによる無線通信が行われているか否かを問い合わせる。さらに、ＳｏＣ１８は、ＷＬＡＮモジュール１３に対し、ＷＬＡＮによる無線通信が行われているか否かを問い合わせる。少なくともいずれか一方が無線通信を行っている場合（Ｄ１でＯＮ）、処理はＤ２に進められる。いずれも無線通信を行っていない場合（Ｄ１でＯＦＦ）、処理はＤ９に進められる。
【００２６】
Ｄ２では、ＳｏＣ１８は、加速度センサー２０によって検出された加速度を基に、タブレット端末１が移動中であるか否かを判定する。ＳｏＣ１８は、例えば、加速度センサー
２０によって加速度が検出された場合にタブレット端末１が移動中であると判定できる。また、例えば、ＳｏＣ１８は、加速度センサー２０によって検出された加速度が所定の閾値より大きい場合にタブレット端末１が移動中であると判定できる。タブレット端末１が移動中の場合（Ｄ２でＹＥＳ）、処理はＤ３に進められる。タブレット端末１が移動中ではない場合（Ｄ２でＮＯ）、処理はＤ５に進められる。Ｄ２の処理を実行するＳｏＣ１８は「判定部」の一例である。
【００２７】
Ｄ３では、ＳｏＣ１８は、制御線Ｃ１を介してスイッチＳ１をオフにする。スイッチＳ１がオフにされることで、ＵＳＢポート１６とＳｏＣ１８との間のＵＳＢ３．０信号線Ｂ１は切断される。
【００２８】
Ｄ４では、ＳｏＣ１８は、ＵＳＢポート１６に外部装置が接続されたか否かを判定する。接続された場合（Ｄ４でＹＥＳ）、外部装置とＵＳＢ２．０で通信が行われ、図２の処理は終了する。接続されない場合（Ｄ４でＮＯ）、処理はＤ１に進められる。
【００２９】
Ｄ５では、ＳｏＣ１８は、ＷＷＡＮモジュール１２から通知されたＲＳＳＩの値がＲＳＳＩ閾値以下であるか否かを判定する。さらに、ＳｏＣ１８は、ＷＬＡＮモジュール１３から通知されたＲＳＳＩの値がＲＳＳＩ閾値以下であるか否かを判定する。通知されたＲＳＳＩの値のうち、少なくとも一方の値がＲＳＳＩ閾値以下である場合（Ｄ５でＹＥＳ）、処理はＤ３に進められる。通知された双方のＲＳＳＩの値がＲＳＳＩ閾値より大きい場合（Ｄ５でＮＯ）、処理はＤ６に進められる。Ｄ５のＹＥＳからＤ３に進む処理は、「取得された前記ＲＳＳＩの値が所定の第１閾値以下の場合に前記第２の通信方式を選択」する処理の一例である。
【００３０】
Ｄ６では、ＳｏＣ１８は、ＷＷＡＮモジュール１２から通知されたＢＬＥＲの値がＢＬＥＲ閾値以下であるか否かを判定する。さらに、ＳｏＣ１８は、ＷＬＡＮモジュール１３から通知されたＢＬＥＲの値がＢＬＥＲ閾値以下であるか否かを判定する。通知されたＢＬＥＲの値のうち、少なくとも一方の値がＢＬＥＲ閾値より大きい場合（Ｄ６でＮＯ）、処理はＤ３に進められる。通知された双方のＢＬＥＲの値がＢＬＥＲ閾値以下の場合（Ｄ６でＹＥＳ）、処理はＤ７に進められる。Ｄ６でＮＯからＤ３に進む処理は「取得された前記ＢＬＥＲの値が所定の第２閾値より大きい場合に前記第２の通信方式を選択」する処理の一例である。
【００３１】
Ｄ７では、ＳｏＣ１８は、制御線Ｃ１を介してスイッチＳ１をオンにする。スイッチＳ１がオンにされることで、ＵＳＢポート１６とＳｏＣ１８との間のＵＳＢ３．０信号線Ｂ１は接続される。
【００３２】
Ｄ８では、ＳｏＣ１８は、ＵＳＢポート１６に外部装置が接続されたか否かを判定する。接続された場合（Ｄ８でＹＥＳ）、外部装置とＵＳＢ３．０で通信が行われ、図２の処理は終了する。接続されない場合（Ｄ８でＮＯ）、処理はＤ１に進められる。
【００３３】
Ｄ９では、ＳｏＣ１８は、制御線Ｃ１を介してスイッチＳ１をオンにする。スイッチＳ１がオンにされることで、ＵＳＢポート１６とＳｏＣ１８との間のＵＳＢ３．０信号線Ｂ１は接続される。
【００３４】
実施形態では、タブレット端末１が移動中の場合にスイッチＳ１がオフにされることで、ＵＳＢ３．０による通信が無効にされた（図２のＤ２でＹＥＳからＤ３）。ＵＳＢ３．０による通信が無効にされているため、ＵＳＢによる外部装置との通信はＵＳＢ２．０によって行われる。移動中のタブレット端末１が受信する電波の強度は変動しやすいと考えられる。そのため、移動中のタブレット端末１が受信する電波の強度は一時的に良くなっ
たり悪くなったりすると考えられる。そこで、実施形態では、タブレット端末１が移動中と判定された場合、ＵＳＢによる外部装置との通信の通信方式をＵＳＢ２．０とする事で、電波強度が悪くなった状況でも無線通信の通信品質の低下を抑制できる。
【００３５】
実施形態では、無線通信の通信品質が悪いと判定された場合（図２のＤ５でＹＥＳまたはＤ６でＮＯ）、スイッチＳ１がオフにされることで、ＵＳＢ３．０による通信が無効にされた。ＵＳＢ３．０による通信が無効にされているため、ＵＳＢによる外部装置との通信はＵＳＢ２．０によって行われる。その結果、実施形態によれば、ＵＳＢによる外部装置との通信による無線通信の通信品質の低下が抑制される。
【００３６】
実施形態では、無線通信の通信品質が良いと判定された場合（図２のＤ５でＮＯかつＤ６でＹＥＳ）、ＵＳＢ３．０による通信が有効にされた。その結果、実施形態によれば、無線通信の通信品質の良い環境では、ＵＳＢによる外部装置との通信をＵＳＢ２．０より高速なＵＳＢ３．０で実行できる。
【００３７】
実施形態では、無線通信を行っていない場合（図２のＤ１でＯＦＦ）、ＵＳＢ３．０による通信が有効にされた。無線通信を行っていない場合は、ＵＳＢ３．０による無線通信への影響を考慮しなくともよい。そのため、実施形態によれば、無線通信を行っていない場合、ＵＳＢによる外部装置との通信をＵＳＢ２．０より高速なＵＳＢ３．０で実行できる。
【００３８】
＜比較例＞
ここで、実施形態との比較のため、比較例について説明する。図３は、比較例に係るタブレット端末１００のブロック図の一例である。実施形態と同一の構成については同一の符号を付し、その説明を省略する。
【００３９】
比較例に係るタブレット端末１００は、スイッチＳ１および制御線Ｃ１を有さない点で実施形態に係るタブレット端末１と異なる。タブレット端末１００は、スイッチＳ１および制御線Ｃ１を有さないため、無線通信の通信品質に応じたＵＳＢ２．０およびＵＳＢ３．０の切り替えを実行しない。そのため、無線通信の通信品質が悪い環境でも、ＵＳＢ３．０に対応した外部装置がＵＳＢポート１６に接続されると、タブレット端末１００と当該外部装置との間でＵＳＢ３．０による通信が行われる。
【００４０】
図４は、比較例に係るタブレット端末１００の部品配置の一例を示す図である。図４では、タブレット端末１００に電力を供給する二次電池１１、ＷＷＡＮモジュール１２、ＷＬＡＮモジュール１３、ＷＬＡＮアンテナ１４（１４ａ、１４ｂ）、ＷＷＡＮアンテナ１５（１５ａ、１５ｂ）、ＵＳＢポート１６（１６ａ、１６ｂ）が例示されている。比較例では、ＵＳＢ３．０通信時に発生するノイズによる無線通信への影響を緩和するため、ＵＳＢポート１６は、ＷＬＡＮアンテナ１４（１４ａ、１４ｂ）およびＷＷＡＮアンテナ１５（１５ａ、１５ｂ）から所定の距離だけ離されて配置されている。
【００４１】
図５は、実施形態に係るタブレット端末１の部品配置の一例を示す図である。実施形態では、無線通信の通信品質に対するＵＳＢ３．０によるノイズの影響が低減された。そのため、図５では、ＵＳＢポート１６は、ＷＷＡＮアンテナ１５ｂの近傍に配置可能となっている。すなわち、ＵＳＢ３．０による無線通信への影響を抑制した実施形態は、比較例と比較して、ＵＳＢポート１６とＷＬＡＮアンテナ１４およびＷＷＡＮアンテナ１５との間の距離を離さなくともよい。したがって、実施形態に係るタブレット端末１は、比較例に係るタブレット端末１００よりも部品配置の自由度が高くなる。
【００４２】
＜第１変形例＞
実施形態では、ＶＢＵＳ２２とＵＳＢポート１６は直接接続された。第１変形例では、ＶＢＵＳ２２とＵＳＢポート１６との間にスイッチが設けられる。実施形態と同一の構成については同一の符号を付し、その説明を省略する。以下、図面を参照して第１変形例について説明する。
【００４３】
図６は、第１変形例に係るタブレット端末１ｂのブロック図の一例である。タブレット端末１ｂは、ＶＢＵＳ２２とＵＳＢポート１６との間にスイッチＳ２が設けられている点で、実施形態に係るタブレット端末１と異なる。スイッチＳ２は、制御線Ｃ２によってＳｏＣ１８と接続される。ＳｏＣ１８は、制御線Ｃ２を介してスイッチＳ２のオンおよびオフを行う。スイッチＳ２がオンにされると、ＶＢＵＳ２２からＵＳＢポート１６への給電が行われる。スイッチＳ２がオフにされると、ＶＢＵＳ２２からＵＳＢポート１６への給電が停止される。
【００４４】
図７は、第１変形例に係るタブレット端末１ｂにおけるＵＳＢ３．０とＵＳＢ２．０との間の切替処理フローの一例を示す図である。以下、図７を参照して、第１変形例に係るタブレット端末１ｂにおけるＵＳＢ３．０とＵＳＢ２．０との間の切替処理フローの一例について説明する。
【００４５】
Ｄ１の処理は、Ｄ１でＮＯの場合にＥ３に処理が進められる点を除いて、図２のＤ１と同様である。そのため、その説明を省略する。Ｄ２、Ｄ４〜Ｄ６およびＤ８の処理は、図２のＤ２、Ｄ４〜Ｄ６およびＤ８の処理と同様である。そのため、その説明を省略する。Ｅ１では、ＳｏＣ１８は、制御線Ｃ１を介してスイッチＳ１をオフにする。さらに、ＳｏＣ１８は、制御線Ｃ２を介してスイッチＳ２をオンにする。Ｅ２では、ＳｏＣ１８は、制御線Ｃ１を介してスイッチＳ１をオンにする。さらに、ＳｏＣ１８は、制御線Ｃ２を介してスイッチＳ２をオンにする。Ｅ３の処理は、Ｅ２の処理と同様である。そのため、その説明を省略する。Ｅ４では、ＳｏＣ１８は、加速度センサー２０によって検出された加速度を基に、タブレット端末１が移動中であるか否かを判定する。タブレット端末１が移動中の場合（Ｅ４でＹＥＳ）、処理はＥ５に進められる。タブレット端末１が移動中ではない場合（Ｅ４でＮＯ）、図７の処理は終了される。
【００４６】
Ｅ５では、ＵＳＢポート１６に接続された外部装置のＵＳＢ３．０のリンクステートがＵ０以外であるか否かが判定される。リンクステートがＵ０の状態とは、例えば、ＵＳＢポート１６に接続された外部装置とタブレット端末１ｂとが通信中の状態である。すなわち、Ｅ５では、ＵＳＢポート１６に接続された外部装置とタブレット端末１ｂとが通信中であるか否かが判定される。リンクステートがＵ０以外である場合（Ｅ５でＹＥＳ）、処理はＥ６に進められる。リンクステートがＵ０である場合（Ｅ５でＮＯ）、Ｅ５の処理が再度行われる。Ｅ５でＮＯに進む処理は「前記切替部は前記無線通信装置と前記外部装置とが前記第１の通信方式で通信中の場合には前記第１の通信方式を無効にしない」処理の一例である。
【００４７】
Ｅ６では、ＳｏＣ１８は、制御線Ｃ１を介してスイッチＳ１をオフにする。Ｅ７では、スイッチＳ２のリセットが行われる。スイッチＳ２のリセットとは、スイッチＳ２をオフにし、その後スイッチＳ２をオンにする処理を含む。Ｅ７の処理は「前記接続部への電力の供給を停止した後に前記電力の供給を再開する処理」の一例である。
【００４８】
第１変形例では、ＵＳＢポート１６に接続された外部装置とタブレット端末１ｂとが通信中の場合（図７のＥ５でＮＯ）、ＵＳＢ３．０からＵＳＢ２．０への切り替えを行わない。そのため、第１変形例によれば、ＵＳＢポート１６に接続された外部装置とタブレット端末１ｂとのＵＳＢポート１６を介した通信の中断が抑制される。
【００４９】
第１変形例では、スイッチＳ１をオフにすることでＵＳＢポート１６とＳｏＣ１８との間のＵＳＢ３．０信号線Ｂ１は切断した後にスイッチＳ２のリセットが行われた（図７のＥ６、Ｅ７）。スイッチＳ２がリセットされることにより、ＶＢＵＳ２２からＵＳＢポート１６への給電がいったん停止された後に再開される。そのため、ＵＳＢポート１６に接続された外部装置は、ＵＳＢポート１６から外されてから再度接続されたようにタブレット端末１ｂに認識される。その結果、第１変形例によれば、外部装置をＵＳＢポート１６から外して再度接続を行わなくとも、ＵＳＢ３．０からＵＳＢ２．０への切り替えが可能となる。
【００５０】
＜第２変形例＞
図８は、第２変形例に係るタブレット端末１ｃのブロック図の一例である。タブレット端末１ｃでは、タブレット端末１ｂに対してさらにクレイドルコネクタ１７が追加されている。以下、図面を参照して第２変形例のタブレット端末１ｃについて説明する。
【００５１】
クレイドルコネクタ１７は、タブレット端末１ｃとＵＳＢ規格に準拠したクレイドルとを接続するコネクタである。クレイドルは、例えば、タブレット端末１ｃとパーソナルコンピュータ等の情報機器との間のデータ伝送を中継する装置である。クレイドルコネクタ１７は、ＵＳＢ３．０信号線Ｂ１ｂおよびＵＳＢ２．０信号線Ｂ２ｂによってＳｏＣ１８と接続される。ＵＳＢ３．０信号線Ｂ１ｂは、クレイドルコネクタ１７に接続されたクレイドルとＳｏＣ１８との間をＵＳＢ３．０規格に準拠した通信規格で通信可能に接続する。ＵＳＢ２．０信号線Ｂ２ｂは、クレイドルコネクタ１７に接続されたクレイドルとＳｏＣ１８との間をＵＳＢ２．０規格に準拠した通信規格で通信可能に接続する。クレイドルコネクタ１７は「接続部」の一例である。
【００５２】
図９は、クレイドルコネクタ１７の外観の一例を示す図である。クレイドルコネクタ１７は、端子１７ａおよびネジ穴１７ｂを備える。クレイドルコネクタ１７は、例えば、ネジ穴１７ｂを介したネジの螺合によってタブレット端末１ｃの基板上に固定される。クレイドルコネクタ１７は、図９を参照するとわかるように、ＵＳＢポート１６よりも幅広に形成されている。そのため、クレイドルコネクタ１７の端子１７ａには、ＵＳＢ３．０およびＵＳＢ２．０の通信で使用するピンの他、例えば、タブレット端末１ｃのメーカー独自規格のピンを追加する事も可能である。
【００５３】
スイッチＳ１ｂは、ＵＳＢ３．０信号線Ｂ１ｂにおけるＳｏＣ１８とクレイドル１７との経路上に介在するスイッチである。第２変形例では、ＳｏＣ１８は、制御線Ｃ１ａを介して、スイッチＳ１およびスイッチＳ１ｂのオンおよびオフを行う。すなわち、スイッチＳ１およびスイッチＳ１ｂは、制御線Ｃ１ａを共有する。そのため、スイッチＳ１がオンにされるときスイッチＳ１ｂもオンにされ、スイッチＳ１がオフにされるときスイッチＳ１ｂもオフにされる。スイッチＳ１ｂがオンにされるとＵＳＢ３．０信号線Ｂ１ｂが有効となる。したがって、スイッチＳ１ｂがオンのときにＵＳＢ３．０による通信が可能なクレイドルがクレイドルコネクタ１７に接続されると、当該クレイドルとタブレット端末１ｃとは、ＵＳＢ３．０信号線Ｂ１ｂを介してＵＳＢ３．０による通信が可能となる。スイッチＳ１ｂがオフにされるとＵＳＢ３．０信号線Ｂ１ｂが無効になる。したがって、スイッチＳ１ｂがオフのときにクレイドルが接続されると、当該クレイドルとタブレット端末１ｃとはＵＳＢ２．０信号線Ｂ２ｂを介してＵＳＢ２．０による通信が可能となる。さらに、第２変形例では、ＶＢＵＳ２２は、ＵＳＢポート１６に加えてクレイドルコネクタ１７にも電力を供給する。
【００５４】
以上の構成を有するタブレット端末１ｃにおけるＵＳＢ３．０とＵＳＢ２．０との間の切替処理フローは、スイッチＳ１とスイッチＳ１ｂとが制御線Ｃ１ａによって制御される点を除いて、第１変形例と同様である。そのため、その説明を省略する。
【００５５】
図１０は、第２変形例に係るタブレット端末１ｃの部品配置の一例を示す図である。第２変形例では、第１変形例と同様の処理によってＵＳＢポート１６およびクレイドルコネクタ１７からのＵＳＢ３．０によるノイズの影響が低減された。そのため、図１０では、ＵＳＢポート１６ａ、１６ｂは、ＷＷＡＮアンテナ１５ｂの近傍に配置可能となっている。また、クレイドルコネクタ１７は、ＷＬＡＮアンテナ１４ｂの近傍に配置可能となっている。したがって、第２変形例に係るタブレット端末１ｃは、実施形態および第１変形例と同様に、部品配置の自由度を比較例よりも高めることができる。
【００５６】
以上説明した実施形態、第１変形例および第２変形例では、無線通信装置としてタブレット端末が例示された。しかしながら、開示の技術は、タブレット端末を採用する場合に限定されない。開示の技術は、スマートフォン、ノートパソコンおよび携帯電話を含む様々な無線通信装置に対して適用できる。
【００５７】
以上説明した実施形態、第１変形例および第２変形例では、有線による外部装置との通信方式がＵＳＢ２．０およびＵＳＢ３．０である場合が例示された。しかしながら、開示の技術はＵＳＢ２．０およびＵＳＢ３．０を採用する場合に限定されない。開示の技術は、無線通信の通信品質への影響の大きさが異なる複数の有線による通信方式が採用された無線通信装置に対して適用できる。
【００５８】
以上説明した実施形態、第１変形例および第２変形例では、タブレット端末１、１ｂ、１ｃの移動が加速度センサー２０によって検知された。しかしながら、タブレット端末１、１ｂ、１ｃの移動を検出する方法は、加速度センサー２０による方法に限定されない。タブレット端末１、１ｂ、１ｃの移動の検出には、例えば、Global Positioning System
（ＧＰＳ）センサーが採用されてもよい。
【００５９】
以上説明した実施形態、第１変形例および第２変形例では、ＳｏＣ１８によって様々な処理が制御された。しかしながら、開示の技術はＳｏＣ１８による制御に限定されない。開示の技術は、例えば、メモリ１９上に実行可能に展開されたプログラムをプロセッサが実行することで実現されてもよい。
【００６０】
以上で開示した実施形態や変形例はそれぞれ組み合わせる事ができる。
【符号の説明】
【００６１】
１、１ｂ、１ｃ、１００・・・タブレット端末
１１・・・二次電池
１２・・・ＷＷＡＮモジュール
１３・・・ＷＬＡＮモジュール
１４、１４ａ、１４ｂ・・・ＷＬＡＮアンテナ
１５、１５ａ、１５ｂ・・・ＷＷＡＮアンテナ
１６、１６ａ、１６ｂ・・・ＵＳＢポート
１７・・・クレイドルコネクタ
１８・・・ＳｏＣ
１９・・・メモリ
２０・・・加速度センサー
２１・・・ＬＣＤモジュール
２２・・・ＶＢＵＳ
Ｂ１、Ｂ１ｂ・・・ＵＳＢ３．０信号線
Ｂ２、Ｂ２ｂ・・・ＵＳＢ２．０信号線
Ｃ１、Ｃ１ａ、Ｃ２・・・制御線
Ｓ１、Ｓ１ｂ、Ｓ２・・・スイッチ
Ｐ１、Ｐ２、Ｐ３、Ｐ４、Ｐ５、Ｐ６、Ｐ７、Ｐ８、Ｐ９・・・ピン
【図１Ａ】
2018029288.tif 000003
【図１Ｂ】
2018029288.tif 000004
【図１Ｃ】
2018029288.tif 000005
【図２】
2018029288.tif 000006
【図３】
2018029288.tif 000007
【図４】
2018029288.tif 000008
【図５】
2018029288.tif 000009
【図６】
2018029288.tif 000010
【図７】
2018029288.tif 000011
【図８】
2018029288.tif 000012
【図９】
2018029288.tif 000013
【図１０】
2018029288.tif 000014